(57)【要約】【課題】重交通エリアまたは重過重エリアに適用されても、路面の段差、沈下、水平移動（ずれ）、わだち掘れ、およびこれらに伴うブロックの欠けや割れが生じ難く、長期間に亘り良好な路面性状を維持できる舗装用ブロックを使用する舗装システムを提供する。【解決手段】下層路盤と、上層路盤と、敷砂層と、厚さが１００ｍｍ以上１５０ｍｍ以下の複数の舗装用ブロックと目地砂からなるブロック層と、端部拘束ブロックと、を備え、舗装用ブロックは、第１の波形ブロックとエンドブロックと第２のブロックと、からなり、第１の波形ブロックの配置はへリンボンボンド４５°であり、エンドブロックの路面を形成する面は、第１の波形ブロックまたは第２のブロックの路面を形成する面の波形の辺と隣接する少なくとも２辺が波形の辺とかみ合うように形成されている。【選択図】図１
2020029731.tif 000002
【特許請求の範囲】
【請求項１】
舗装用ブロックを使用する舗装システムであって、
路床上に形成された下層路盤と、
前記下層路盤上に形成された上層路盤と、
前記上層路盤上に形成された敷砂層と、
前記敷砂層上に形成され、厚さが１００ｍｍ以上１５０ｍｍ以下の複数の舗装用ブロックおよび隣接する前記舗装用ブロックの間隙に充填された目地砂からなるブロック層と、
前記ブロック層の端部の前記舗装用ブロックを拘束する端部拘束ブロックと、を備え、
前記舗装用ブロックは、短辺が１０５ｍｍ以上１２０ｍｍ以下で短辺と長辺の比が整数比である第１の波形ブロックと、前記端部拘束ブロックと接するエンドブロックと、前記第１の波形ブロックおよびエンドブロックより小さく前記第１の波形ブロックおよびエンドブロックと合わせることで平面充填可能となる１種類以上の第２のブロックと、からなり、
前記第１の波形ブロックの配置は、前記ブロック層の主たる通行方向または前記主たる通行方向に垂直な方向に対し、前記第１の波形ブロックの長辺方向が右４５°および左４５°に交互に配置されたへリンボンボンド４５°であり、
前記エンドブロックの路面を形成する面は、前記第１の波形ブロックまたは前記第２のブロックの路面を形成する面の波形の辺と隣接する少なくとも２辺が前記波形の辺とかみ合うように形成されていることを特徴とする舗装システム。
【請求項２】
前記上層路盤は、大粒径アスファルト混合物または高強度セメント安定処理混合物のいずれか一方により形成され、
前記敷砂層は、アスファルトコーティングされた砂またはアスファルトコーティングされた砂がさらに油分でコーティングされた砂のいずれか一方により形成されていることを特徴とする請求項１記載の舗装システム。
【請求項３】
舗装用ブロックを使用する舗装システムの施工方法であって、
路床上に下層路盤を形成する工程と、
前記下層路盤上に上層路盤を形成する工程と、
前記上層路盤上に敷砂層を形成する工程と、
前記敷砂層上に、厚さが１００ｍｍ以上１５０ｍｍ以下の複数の舗装用ブロックを敷設する工程と、
前記複数の舗装用ブロックの端部に位置する舗装用ブロックを拘束する端部拘束ブロックを敷設し、拘束させる工程と、
隣接する前記舗装用ブロックの間隙に目地砂を充填し、前記複数の舗装用ブロックおよびその間隙に充填された前記目地砂からなるブロック層を形成する工程と、
前記ブロック層の上から転圧する工程と、を含み、
前記舗装用ブロックは、短辺が１０５ｍｍ以上１２０ｍｍ以下で短辺と長辺の比が整数比である第１の波形ブロックと、前記端部拘束ブロックと接するエンドブロックと、前記第１の波形ブロックおよびエンドブロックより小さく前記第１の波形ブロックおよびエンドブロックと合わせることで平面充填可能となる１種類以上の第２のブロックと、からなり、
前記第１の波形ブロックの配置は、前記ブロック層の主たる通行方向または前記主たる通行方向に垂直な方向に対し、前記第１の波形ブロックの長辺方向が右４５°および左４５°に交互に配置されたへリンボンボンド４５°であり、
前記エンドブロックの路面を形成する面は、前記第１の波形ブロックまたは前記第２のブロックの路面を形成する面の波形の辺と隣接する少なくとも２辺が前記波形の辺とかみ合うように形成されていることを特徴とする舗装システムの施工方法。
【請求項４】
前記上層路盤を形成する工程において、前記上層路盤は、大粒径アスファルト混合物または高強度セメント安定処理混合物のいずれか一方により形成され、
前記敷砂層を形成する工程において、前記敷砂層は、アスファルトコーティングされた砂またはアスファルトコーティングされた砂がさらに油分でコーティングされた砂のいずれか一方により形成されることを特徴とする請求項３記載の舗装システムの施工方法。
【発明の詳細な説明】
【技術分野】
【０００１】
本発明は、舗装用ブロックを使用する舗装システムおよび施工方法に関する。
【背景技術】
【０００２】
道路や駐車場などで用いられる舗装構造のうち、ブロック系舗装では、舗装材にコンクリート平板やインターロッキングブロックなどのブロックが用いられる。ブロック系舗装の中でも、特に、表層にインターロッキングブロックを用いる舗装構造は、インターロッキングブロックの形状、寸法、敷設パタ−ン、色調および表面の質感などを適宜選択することによって、耐久性、安全性、快適性および景観性に優れた舗装を実現することが可能となる。また、インターロッキングブロックを用いた舗装構造では、車両等の輪荷重が作用した際、インターロッキングブロック間の目地に充填した砂（目地砂）によって、インターロッキングブロック相互の噛み合わせ効果が発揮される。この噛み合わせ効果によって荷重を分散させることができる。
【０００３】
特許文献１には、施工が容易で仕上げを均一にすることができるとともに工期短縮を図ることを目的として、地盤の表層部に構築された下地層と、下地層の上部に複数敷き並べられたインターロッキングブロック（敷設材）と、下地層とインターロッキングブロックとの間に介在する敷砂層（サンドクッション）と、を備え、下地層は、原地盤とセメント系固化材とを撹拌して形成された地盤改良体で構成されている舗装構造が開示されている。
【０００４】
また、特許文献２には、ブロックの破損やガタツキを低減することができるとともに、撤去、再利用可能なブロック舗装用砂を提供することを目的として、７５μｍふるい通過質量百分率が０．１〜１０質量％の砂と、砂全体に対する重量比で０．１〜５％のアスファルト系バインダと、砂全体に対する重量比で０．１〜２％の油分と、が混合され、アスファルト系バインダは、砂の粒子表面を被覆し、油分は、アスファルト系バインダの被膜表面を被覆するブロック舗装用砂が開示されている。
【０００５】
また、非特許文献１には、厚さの大きいインターロッキングブロックを重荷重舗装へ適用した事例が記載されている。
【先行技術文献】
【特許文献】
【０００６】
【特許文献１】特開２０１５−０３１０５７号公報
【特許文献２】特開２０１５−０３４３７５号公報
【非特許文献】
【０００７】
【非特許文献１】舗装  ｖоｌ．５１，Ｎо．１１，２０１６年１１月号  ｐ．３〜ｐ．７  げんばから−重荷重舗装へのＩＬブロック舗装の適用事例  コンテナ埠頭に施工した１００ｍｍ厚ＩＬブロック舗装
【発明の概要】
【発明が解決しようとする課題】
【０００８】
インターロッキングブロック舗装を重交通エリアまたは重荷重エリアに適用する場合、一般道路と異なり、速度が低速となり、停止、発進、制動、据え切り等が舗装面に作用するため、供用後に段差、沈下、水平移動（ずれ）、わだち掘れ、およびこれらに伴うブロックの欠けや割れが生じ、円滑な走行に支障をきたすだけでなく、走行騒音も大きくなり、沿道環境にも悪影響をおよぼす。そのため、長期間に亘り良好な路面性状を維持するためには、インターロッキングブロック舗装システム全体としての対策が重要となる。
【０００９】
しかしながら、特許文献１および２記載の技術は、重交通エリアまたは重荷重エリアに適用するためのインターロッキングブロック舗装システム全体としての対策は考慮していない。
【００１０】
また、非特許文献１記載の技術は、インターロッキングブロック舗装を重荷重エリアに適用した事例を記載しているが、インターロッキングブロックの敷設パターンを含めたインターロッキングブロック舗装システム全体としての適用可能性は考慮していない。
【００１１】
本発明は、このような事情に鑑みてなされたものであり、重交通エリアまたは重荷重エリアに適用されても、路面の段差、沈下、水平移動（ずれ）、わだち掘れ、およびこれらに伴うブロックの欠けや割れが生じ難く、長期間に亘り良好な路面性状を維持でき、また、車両の走行騒音を小さくでき、坂道における降雨時の目地砂の消失を抑制できる舗装用ブロックを使用する舗装システムを提供することを目的とする。
【課題を解決するための手段】
【００１２】
（１）上記の目的を達成するために、本発明は、以下のような手段を講じた。すなわち、本発明の舗装用ブロックを使用する舗装システムは、路床上に形成された下層路盤と、前記下層路盤上に形成された上層路盤と、前記上層路盤上に形成された敷砂層と、前記敷砂層上に形成され、厚さが１００ｍｍ以上１５０ｍｍ以下の複数の舗装用ブロックおよび隣接する前記舗装用ブロックの間隙に充填された目地砂からなるブロック層と、前記ブロック層の端部の前記舗装用ブロックを拘束する端部拘束ブロックと、を備え、前記舗装用ブロックは、短辺が１０５ｍｍ以上１２０ｍｍ以下で短辺と長辺の比が整数比である第１の波形ブロックと、前記端部拘束ブロックと接するエンドブロックと、前記第１の波形ブロックおよびエンドブロックより小さく前記第１の波形ブロックおよびエンドブロックと合わせることで平面充填可能となる１種類以上の第２のブロックと、からなり、前記第１の波形ブロックの配置は、前記ブロック層の主たる通行方向または前記主たる通行方向に垂直な方向に対し、前記第１の波形ブロックの長辺方向が右４５°および左４５°に交互に配置されたへリンボンボンド４５°であり、前記エンドブロックの路面を形成する面は、前記第１の波形ブロックまたは前記第２のブロックの路面を形成する面の波形の辺と隣接する少なくとも２辺が前記波形の辺とかみ合うように形成されていることを特徴とする。
【００１３】
このように、厚さの大きい波形の舗装用ブロックを、主たる通行方向または主たる通行方向に垂直な方向に対し、ブロックの長辺方向が右４５°および左４５°に交互に配置されたへリンボンボンド４５°で配置し、端部のエンドブロックを端部拘束ブロックで拘束することにより、重交通エリアまたは重荷重エリアに適用されても、路面の段差、沈下、水平移動（ずれ）、わだち掘れ、およびこれらに伴うブロックの欠けや割れが生じ難く、長期間に亘り良好な路面性状を維持できる。また、車両の走行騒音を小さくでき、坂道における降雨時の目地砂の消失を抑制できる。
【００１４】
（２）また、本発明の舗装システムにおいて、前記上層路盤は、大粒径アスファルト混合物または高強度セメント安定処理混合物のいずれか一方により形成され、前記敷砂層は、アスファルトコーティングされた砂またはアスファルトコーティングされた砂がさらに油分でコーティングされた砂のいずれか一方により形成されていることを特徴とする。
【００１５】
このように、上層路盤を、大粒径アスファルト混合物または高強度セメント安定処理混合物のいずれか一方により形成することで、上層路盤および路盤全体の支持力を高めることが可能となる。また、敷砂層を、アスファルトコーティングされた砂またはアスファルトコーティングされた砂がさらに油分でコーティングされた砂のいずれか一方により形成することで、敷砂の細粒化と浸透水による支持力低下を防ぐことができる。これにより、重交通エリアまたは重荷重エリアに適用されても、路面の段差、沈下、水平移動（ずれ）、わだち掘れ、およびこれらに伴うブロックの欠けや割れが生じ難く、長期間に亘り良好な路面性状をより維持できる。また、車両の走行騒音を小さくでき、坂道における降雨時の目地砂の消失をより抑制できる。
【００１６】
（３）また、本発明の施工方法は、舗装用ブロックを使用する舗装システムの施工方法であって、路床上に下層路盤を形成する工程と、前記下層路盤上に上層路盤を形成する工程と、前記上層路盤上に敷砂層を形成する工程と、前記敷砂層上に、厚さが１００ｍｍ以上１５０ｍｍ以下の複数の舗装用ブロックを敷設する工程と、前記複数の舗装用ブロックの端部に位置する舗装用ブロックを拘束する端部拘束ブロックを敷設し、拘束させる工程と、隣接する前記舗装用ブロックの間隙に目地砂を充填し、前記複数の舗装用ブロックおよびその間隙に充填された前記目地砂からなるブロック層を形成する工程と、前記ブロック層の上から転圧する工程と、を含み、前記舗装用ブロックは、短辺が１０５ｍｍ以上１２０ｍｍ以下で短辺と長辺の比が整数比である第１の波形ブロックと、前記端部拘束ブロックと接するエンドブロックと、前記第１の波形ブロックおよびエンドブロックより小さく前記第１の波形ブロックおよびエンドブロックと合わせることで平面充填可能となる１種類以上の第２のブロックと、からなり、前記第１の波形ブロックの配置は、前記ブロック層の主たる通行方向または前記主たる通行方向に垂直な方向に対し、前記第１の波形ブロックの長辺方向が右４５°および左４５°に交互に配置されたへリンボンボンド４５°であり、前記エンドブロックの路面を形成する面は、前記第１の波形ブロックまたは前記第２のブロックの路面を形成する面の波形の辺と隣接する少なくとも２辺が前記波形の辺とかみ合うように形成されていることを特徴とする。
【００１７】
このように、厚さの大きい波形の舗装用ブロックを、主たる通行方向または主たる通行方向に垂直な方向に対し、ブロックの長辺方向が右４５°および左４５°に交互に配置されたへリンボンボンド４５°で配置し、端部のエンドブロックを端部拘束ブロックで拘束することにより、重交通エリアまたは重荷重エリアに適用されても、路面の段差、沈下、水平移動（ずれ）、わだち掘れ、およびこれらに伴うブロックの欠けや割れが生じ難く、長期間に亘り良好な路面性状を維持できる。また、車両の走行騒音を小さくでき、坂道における降雨時の目地砂の消失を抑制できる。
【００１８】
（４）また、本発明の施工方法は、前記上層路盤を形成する工程において、前記上層路盤は、大粒径アスファルト混合物または高強度セメント安定処理混合物のいずれか一方により形成され、前記敷砂層を形成する工程において、前記敷砂層は、アスファルトコーティングされた砂またはアスファルトコーティングされた砂がさらに油分でコーティングされた砂のいずれか一方により形成されることを特徴とする。
【００１９】
このように、上層路盤を、大粒径アスファルト混合物または高強度セメント安定処理混合物のいずれか一方により形成することで、上層路盤の支持力を高めることが可能となる。また、敷砂層を、アスファルトコーティングされた砂またはアスファルトコーティングされた砂がさらに油分でコーティングされた砂のいずれか一方により形成することで、敷砂の細粒化と浸透水による支持力低下を防ぐことができる。これにより、重交通エリアまたは重荷重エリアに適用されても、路面の段差、沈下、水平移動（ずれ）、わだち掘れ、およびこれらに伴うブロックの欠けや割れが生じ難く、長期間に亘り良好な路面性状をより維持できる。また、車両の走行騒音を小さくでき、坂道における降雨時の目地砂の消失をより抑制できる。
【発明の効果】
【００２０】
本発明によれば、重交通エリアまたは重荷重エリアに適用されても、路面の段差、沈下、水平移動（ずれ）、わだち掘れ、およびこれらに伴うブロックの欠けや割れが生じ難く、長期間に亘り良好な路面性状を維持できる。また、車両の走行騒音を小さくでき、坂道における降雨時の目地砂の消失を抑制できる。
【図面の簡単な説明】
【００２１】
【図１】本実施形態に係る舗装用ブロックを使用する舗装システムの概略構成の例を示す断面図である。
【図２】へリンボンボンド４５°の配置パターンで敷設した例を示す平面図である。
【図３】（ａ）、（ｂ）いずれも、へリンボンボンド４５°の配置パターンで敷設した例を示す平面図である。
【図４】（ａ）は直線ブロック、（ｂ）から（ｄ）は波形ブロックの路面を形成する面の例を示す平面図である。
【図５】本発明に適用されないブロックの路面を形成する面を示す平面図である。
【図６】（ａ）、（ｂ）それぞれ、図４（ａ）の直線ブロックおよび図４（ｄ）の波形ブロックに対応するエンドブロックの路面を形成する面の例を示す平面図である。
【図７】主たる通行方向に対する異なるへリンボンボンド４５°の配置パターンの例を示す平面図である。
【図８】へリンボンボンド４５°およびへリンボンボンド９０°の差異を示す表である。
【図９】舗装端部のブロックのたわみ測定および舗装端部における荷重分散性能の比較のための測定点を示す概念図である。
【図１０】舗装端部のブロックのたわみ測定の結果を示す表である。
【図１１】舗装端部における荷重分散性能の比較のための測定点を示す概念図である。
【図１２】舗装端部における荷重分散性能の比較の結果を示す表である。
【図１３】隣接するブロックへの荷重分散性能の比較のための測定点を示す概念図である。
【図１４】隣接するブロックへの荷重分散性能の比較のための式（２）の概念を示す図である。
【図１５】隣接するブロックへの荷重分散性能の比較の結果を示す表である。
【発明を実施するための形態】
【００２２】
本発明者らは、厚さの大きい舗装用ブロックを使用し、かつ、主たる通行方向または主たる通行方向に垂直な方向に対し、ブロックの長辺方向が右４５°および左４５°に交互に配置されたへリンボンボンド４５°で配置し、端部のエンドブロックを端部拘束ブロックで拘束することにより、舗装端部のたわみを小さく、荷重分散性能を大きくでき、また、舗装端部以外の部分も隣接するブロックへの荷重分散性能を大きくできることを見出し、本発明をするに至った。
【００２３】
すなわち、本発明は、舗装用ブロックを使用する舗装システムであって、路床上に形成された下層路盤と、前記下層路盤上に形成された上層路盤と、前記上層路盤上に形成された敷砂層と、前記敷砂層上に形成され、複数の舗装用ブロックおよび隣接する前記舗装用ブロックの間隙に充填された目地砂からなるブロック層と、前記ブロック層の端部の前記舗装用ブロックを拘束する端部拘束ブロックと、を備え、前記舗装用ブロックは、短辺が１０５ｍｍ以上１２０ｍｍ以下、短辺と長辺の比が整数比、厚さが１００ｍｍ以上１５０ｍｍ以下の波形ブロックであり、前記複数の舗装用ブロックの配置は、前記ブロック層の主たる通行方向または前記主たる通行方向に垂直な方向に対し、前記インターロッキングブロックの長辺方向が右４５°および左４５°に交互に配置されたへリンボンボンド４５°であり、前記エンドブロックの路面を形成する面は、前記第１の波形ブロックまたは前記第２のブロックの路面を形成する面の波形の辺と隣接する少なくとも２辺が前記波形の辺とかみ合うように形成されていることを特徴とする。
【００２４】
これにより、本発明者らは、重交通エリアまたは重荷重エリアに適用されても、路面の段差、沈下、水平移動（ずれ）、わだち掘れ、およびこれらに伴うブロックの欠けや割れが生じ難く、長期間に亘り良好な路面性状を維持でき、また、車両の走行騒音を小さくでき、坂道における降雨時の目地砂の消失を抑制することを可能とした。以下、本発明の実施形態について図面を参照して説明する。
【００２５】
本明細書において、舗装用ブロックとは、インターロッキングブロック、または天然石を所定の形状に切断等加工した天然石ブロックをいう。舗装用ブロックとしてインターロッキングブロックを使用する場合、舗装用ブロックの形状や性質を均一に保つことができ、コスト面に優れている点で好ましい。舗装用ブロックとして天然石ブロックを使用する場合、耐摩耗性に優れている点で好ましい。
【００２６】
また、本明細書において、重交通エリアとは、車両制限令による輪荷重５ｔ以下の大型車両が２５０台以上／日・方向、通行する道路や駐車場等をいう。また、重荷重エリアとは、輪荷重が５ｔを超える荷役車両（トップリフター、フォークリフト等）が通行する港湾区域や貨物ヤード内の道路、駐車場、コンテナ置場等をいう。
【００２７】
［舗装システムについて］
図１は、本実施形態に係る舗装用ブロックを使用する舗装システムの概略構成の例を示す断面図である。本実施形態に係る舗装システム１は、路床３上に形成された下層路盤５と、下層路盤５上に形成された上層路盤７と、上層路盤７上に形成された敷砂層９と、敷砂層９上に敷設された舗装用ブロック１１および目地砂１３からなるブロック層１５と、ブロック層１５の端部の舗装用ブロック１１を拘束する端部拘束ブロック１７と、から構成される。
【００２８】
下層路盤５は、路床３上に形成される。下層路盤５を構成する材料は、所定の支持力を確保できるものであればどのようなものであってもよいが、例えば、クラッシャラン、水硬性粒度調整スラグ（HMS）などを使用することができる。下層路盤５は、２以上の層を成していてもよい。下層路盤５の厚さは、１００ｍｍ以上４００ｍｍ以下であることが好ましい。
【００２９】
上層路盤７は、下層路盤５上に形成される。上層路盤７を構成する材料は、所定の支持力を確保できるものであればどのようなものであってもよい。なお、下層路盤５および上層路盤７を合わせた路盤の所定の支持力は、７３０ＭＮ／ｍ２以上である。上層路盤７の厚さは、５０ｍｍ以上３５０ｍｍ以下であることが好ましい。
【００３０】
上層路盤７を構成する材料は、十分な支持力を得るために、大粒径アスファルト混合物、または高強度セメント安定処理混合物であることが好ましい。大粒径アスファルト混合物とは、粗骨材の最大粒径を大きくする（２５ｍｍ以上）ことで、良好な骨材のかみ合わせにより耐流動（わだち掘れ）、耐磨性に優れている混合物である。また、高強度セメント安定処理混合物とは、従来のセメント安定処理混合物（qu = 2.9MPa）よりも強度の高い（4.9MPa以上）混合物である。
【００３１】
敷砂層９は、上層路盤７上に形成される。敷砂層９を構成する材料は、天然砂、焼砂、特殊材料でコーティングした砂などを使用することができる。敷砂層９を構成する材料は、アスファルトコーティングされた砂またはアスファルトコーティングされた砂がさらに油分でコーティングされた砂であることが好ましい。このような砂を使用することで、敷砂の細粒化と浸透水による支持力低下を防ぐことができる。敷砂層９の厚さは、１０ｍｍ以上３０ｍｍ以下であることが好ましい。
【００３２】
敷砂層９に滞水すると支持力の低下、細粒化と変形の促進が起こることがあるため、路盤または敷砂層９は、排水機構を備えることが好ましい。排水機構は、路盤に排水孔を設置する、または、敷砂層９に不織布巻き導水管を設置して雨水マス等に排水孔を設けて繋いで排水処理する、などで対応できる。図１は、不織布巻き導水管を設置した例を示す。排水機構は、施工性およびコスト面から、敷砂層９に不織布巻き導水管を設置することが好ましい。
【００３３】
舗装用ブロック１１は、第１のブロック１１ａ、エンドブロック１１ｂ、第２のブロック１１ｃからなる。図２は、直線状の第１のブロック１１ａ、エンドブロック１１ｂ、第２のブロック１１ｃ、および端部拘束ブロック１７を使用して、後述するへリンボンボンド４５°の配置パターンで敷設した例を示す平面図である。舗装用ブロック１１は、路面を形成する面と敷砂層９に接する面との間の厚さが１００ｍｍ以上１５０ｍｍ以下である。厚さが１００ｍｍより小さいと、側面積が小さくなるため、荷重分散性能が低下して、重交通エリアまたは重荷重エリアに使用したときに水平移動しやすくなる場合がある。また、荷重に対する抵抗性や耐久性が低下して、重交通エリアまたは重荷重エリアに使用したときに欠けや割れが生じやすくなる場合がある。厚さが１５０ｍｍより大きいと、製造コストや施工費、運賃等が上昇する。
【００３４】
第１のブロック１１ａの形状は、短辺が１０５ｍｍ以上１２０ｍｍ以下である。短辺が１０５ｍｍより小さいと、段差や沈降が生じやすくなる場合がある。また、短辺が１２０ｍｍより大きいと、荷重分散性能が低下し、その上を走行する車輪の径および車輪にかかる重量によっては、欠けや割れが生じやすくなる場合がある。また、第１のブロック１１ａは、短辺と長辺の比が整数比である。短辺と長辺の比が整数比であることで、へリンボンボンド４５°の敷設が可能となる。なお、短辺と長辺の比が整数比であるとは、短辺と長辺それぞれに目地幅を合わせた長さの比が整数比となることをいう。敷設の際に目地幅を調整することである程度調整ができるため、厳密な意味での整数比でなくてもよい。
【００３５】
第１のブロック１１ａの短辺と長辺の比は、１：２であることが好ましい。図３（ａ）または（ｂ）のように、第１のブロック１１ａの短辺と長辺の比を１：２以外にして、エンドブロック１１ｂの形状を１種類に限定した場合、短辺と長辺の比が１：２の場合と比べて、第２のブロック１１ｃは多くの種類が必要となる。なお、図３（ａ）および（ｂ）は、端部拘束ブロック１７は示していない。
【００３６】
第１のブロック１１ａは、いわゆる波形ブロックであることが好ましい。図４（ａ）は、直線ブロックの路面を形成する面を示す例であり、図４（ｂ）から（ｄ）は、波形ブロックの路面を形成する面を示す例である。波形ブロックとは、路面を形成する面が、矩形の短辺および長辺をそれぞれ曲線、直線の折れ線、または曲線と直線の組み合わせのいずれかからなる波形の辺で置き換えた波形の短辺および波形の長辺で囲まれ、波形の短辺同士、波形の長辺同士、および波形の短辺と波形の長辺の一部がかみ合うように平面充填可能に形成されたブロックをいう。したがって、図５のような路面を形成する面を有するブロックは、短辺と長辺とをかみ合わせることができないため、本発明では使用しない。
【００３７】
波形ブロックの側面は、平面または曲面からなり、路面を形成する面の波形の短辺同士、波形の長辺同士、および波形の短辺と波形の長辺の一部をかみ合わせたときにかみ合うように形成されていることが好ましい。
【００３８】
第１のブロック１１ａは、図４（ｄ）のような、路面を形成する面が、曲線および直線の組み合わせからなる波形の辺で形成されている波形ブロックであることがより好ましい。なお、第１のブロックが波形ブロックである場合、第１の波形ブロックと呼んでもよい。
【００３９】
エンドブロック１１ｂは、端部拘束ブロック１７と接する。エンドブロック１１ｂの路面を形成する面の形状は、第１のブロック１１ａの形状により異なるが、例えば、図４（ａ）の短辺と長辺の比が１：２の直線である第１のブロック１１ａを使用した場合、図６（ａ）のような形状とすることができ、図４（ｄ）の短辺と長辺の比が１：２の波形の第１のブロック１１ａを使用した場合、図６（ｂ）のような形状とすることができる。図６（ｂ）の場合、エンドブロック１１ｂの路面を形成する面は、略五角形であり、第１のブロック１１ａまたは第２のブロック１１ｃの波形の辺と隣接する少なくとも２辺がその波形の辺とかみ合うように形成される。エンドブロック１１ｂ同士が接する辺は、直線、曲線、波形の辺いずれであってもよい。エンドブロック１１ｂのサイズは、図６（ａ）または（ｂ）に示すＸは第１のブロック１１ａの短辺の長さにより定まるが、Ｙは舗装システム１を施工するエリアの幅や長さによって変更してもよい。
【００４０】
エンドブロック１１ｂは、主たる通行方向に平行な方向の辺のみに使用して、それ以外の辺の端部は、第１のブロック１１ａを切断したブロックを端部拘束ブロック１７と接するように構成してもよい。
【００４１】
第２のブロック１１ｃは、第１のブロック１１ａ同士の間、エンドブロック１１ｂ同士の間、または第１のブロック１１ａとエンドブロック１１ｂとの間で、第１のブロック１１ａの入らない隙間を埋める。第２のブロック１１ｃの路面を形成する面の形状は、略矩形または略三角形である。また、第１のブロック１１ａが波形ブロックである場合、第１のブロック１１ａと接する第２のブロック１１ｃの辺も波形であり、第１のブロック１１ａまたはエンドブロック１１ｂの波形の辺とかみ合うように形成される。また、舗装システム１が施工される面の角の部分は、通常のエンドブロック１１ｂを使用した場合、エンドブロック１１ｂ同士の間を埋める第２のブロック１１ｃが必要となるが、通常のエンドブロック１１ｂとは形状の異なる角の部分専用のエンドブロックを形成して構成してもよい。
【００４２】
第２のブロック１１ｃは、第１のブロック１１ａの短辺と長辺の比が１：２である場合、舗装システム１が施工される面の角の部分に配置される第２のブロック１１ｃ以外に、略正方形の１種類で対応できる。なお、舗装システム１が施工される面の長さや幅によっては、第１のブロック１１ａ、エンドブロック１１ｂ、または第２のブロック１１ｃのいずれかを切断して対応してもよい。
【００４３】
第２のブロック１１ｃは、他の部分と比べて荷重分散性能が異なる場合があるが、施工される面積に対して非常に少ない面積であるため、ほとんど問題とならない。なお、舗装用ブロック１１は、インターロッキングブロックまたは天然石ブロックのいずれか一方のみを使用してもよいし、インターロッキングブロックと天然石ブロックの両方を使用してもよい。例えば、第１のブロック１１ａと第２のブロック１１ｃを天然石ブロックとし、エンドブロック１１ｂをインターロッキングブロックとしてもよい。
【００４４】
目地砂１３は、隣接する舗装用ブロック１１の間隙に充填される。目地砂１３は、天然砂、焼砂、特殊材料でコーティングした砂などを使用することができる。目地砂１３は、アスファルトコーティングされた砂またはアスファルトコーティングされた砂がさらに油分でコーティングされた砂であることが好ましい。このような砂を使用することで、目地からの雨水浸透や目地砂の流失を防ぐことができる。目地幅は目地砂１３の消失を防ぐために、２ｍｍ以上４ｍｍ以下であることが好ましい。
【００４５】
ブロック層１５は、敷砂層９上に形成され、複数の舗装用ブロック１１および隣接する舗装用ブロック１１の間隙に充填された目地砂１３からなる。これにより、車両等の輪荷重が作用した際、舗装用ブロック１１間の目地砂１３によって、舗装用ブロック１１相互の噛み合わせ効果が発揮され、荷重分散効果が生じる。
【００４６】
端部拘束ブロック１７は、下層路盤５上に下地を形成し、その上に形成する。下地は、モルタルであってもよいが、即時交通開放を可能とするため、砂で形成することが好ましい。下地を形成する砂は、敷砂層９または目地砂１３を形成する砂と同一であってもよい。隣接する端部拘束ブロック１７の目地も下地と同一の材料を使用してもよい。また、端部拘束ブロック１７と他舗装との取り合い処理および舗装用ブロック１１との目地は、貼付けタイプの成型目地材を適用することが好ましい。端部拘束ブロック１７は、ブロック層１５の端部の舗装用ブロック１１を拘束する。端部拘束ブロック１７は、短辺、長辺および厚さがそれぞれ、第１のブロックの短辺、長辺および厚さの１．５倍以上であることが好ましい。このようなサイズにすることで、目地砂と敷砂で施工でき、端部で力が加わっても割れにくい。端部拘束ブロック１７同士の接続部分は、波形であることが好ましい。
【００４７】
［舗装用ブロックの配置］
舗装用ブロック１１の配置は、図２に示すような、いわゆるへリンボンボンド４５°である。へリンボンボンド４５°とは、ブロック層１５の主たる通行方向または主たる通行方向に垂直な方向に対し、舗装用ブロック１１の長辺方向が右４５°および左４５°に交互に配置される配置である。図３（ａ）または（ｂ）に示すように、第１のブロック１１ａの短辺と長辺の比が１：２でない場合も、へリンボンボンド４５°の配置は可能である。
【００４８】
なお、ブロック層１５の主たる通行方向とは、ブロック層１５の上面がなす路面を通行する車両等が主に通行する方向である。例えば、舗装システム１が道路に適用された場合、道路の進行方向またはその反対方向であり、舗装システム１がコンテナヤードに適用された場合、シャーシやトランスファークレーンの走行方向またはコンテナ載置スペースの辺に平行または垂直な方向である。へリンボンボンド４５°の配置は、主たる通行方向に対して、図７（ａ）または（ｂ）の配置が考えられ、いずれの配置であっても効果が発揮されるが、第２のブロック１１ｃの配置される個数を低減することを考えると、図７（ａ）の配置がより好ましい。
【００４９】
舗装用ブロックの配置は、ストレッチャボンド、へリンボンボンド９０°、へリンボンボンド４５°、バスケットボンドなど様々なものが考えられるが、水平移動しにくくするためには目地が長い直線状にならないことが好ましい。また、目地が長い直線状でないと、水の流路となりにくいため目地砂が消失しにくくなる。このような観点から、へリンボンボンド９０°またはへリンボンボンド４５°を採用することが好ましい。
【００５０】
一方、へリンボンボンド９０°とへリンボンボンド４５°も以下のような違いがある。へリンボンボンド９０°とへリンボンボンド４５°との違いは、主たる通行方向に対する配置角度の違いであるが、そのため、図８の表のような違いが生じる。このような観点から、本発明では、へリンボンボンド４５°を採用する。ここで、図８の表中のＮｏ．１および６については、実験等により検証されたことがなかったが、今回、実験により検証した（後述）。
【００５１】
［舗装システムの施工方法］
次に、舗装システムの施工方法を説明する。まず、路床上に下層路盤を形成する。次に、端部拘束ブロックの設置場所の下層路盤上に下地を形成し、その上に端部拘束ブロックを形成する。次に、端部拘束ブロックの設置場所以外の下層路盤上に上層路盤を形成する。次に、上層路盤上から転圧し、路盤が所定の支持力を有するかどうかを確認する。
【００５２】
路盤が所定の支持力を有することが確認できたら、上層路盤上に敷砂層を形成する。敷砂層に不織布巻きの導水管を設ける場合は、ここで行なう。次に、敷砂層上に舗装用ブロックをへリンボンボンド４５°に配置する。次に、舗装用ブロック間の目地に、目地砂を充填する。そして、ブロック層上から転圧する。転圧は複数回行なう。最後に、目地砂を再度充填する。このような方法により、舗装用ブロックを使用する舗装システムを施工できる。
【００５３】
［へリンボンボンド４５°とへリンボンボンド９０°の比較実験］
主たる走行方向を考慮して、へリンボンボンド４５°に専用のエンドブロックを使用したときに、へリンボンボンド４５°とへリンボンボンド９０°に荷重分散性能の違いが生じるかどうかを確かめるため、以下の比較実験を行なった。同一の路盤構造、敷砂層上に同一の目地砂を使用して、インターロッキングブロックをへリンボンボンド４５°とへリンボンボンド９０°に配置して、それぞれ１０ｍ２施工した。へリンボンボンド４５°は、専用のエンドブロックおよび隙間を埋める第２のブロックを使用した。第１のブロックは、図４（ｄ）の短辺が１１１ｍｍ、長辺が２２５ｍｍの波形ブロックを使用した。比較実験の第１のブロックは、目地幅を３ｍｍとすると、これを考慮した短辺と長辺の比が１：２となる。エンドブロックは、図６（ｂ）のＸが１６１．２ｍｍ、Ｙが７８．４ｍｍのブロックを使用した。なお、今回の実験では、端部拘束ブロックは使用していないが、いずれの配置にも同一の端部拘束ブロックを使用して施工した場合も、配置による違いが生じると考えられる。
【００５４】
荷重分散性能の評価には、小型ＦＷＤを適用した。小型ＦＷＤは、重錘を所定の高さから落下させて、このときに発生するたわみを載荷板直下と任意に設置できる第２センサーにより測定するものである。今回は、重錘を５００ｋｇに設定して測定した。
【００５５】
（１）舗装端部のブロックのたわみ測定
へリンボンボンド４５°では、端部のブロックは、図６（ｂ）の例に示されるようなエンドブロック（以下、Ｆ型という）を複数並べて使用するため、Ｆ型ブロックの中心部（図９（ａ）のいずれかの測定点）に載荷板をセットしてたわみ測定をした。へリンボンボンド９０°では、端部のブロックは、縦の長方形、横の長方形、正方形の繰り返しとなるため、端部の列の各ブロックの中心部（図９（ｂ）のいずれかの測定点）に載荷板をセットしてたわみ測定をした。たわみ測定は、バラツキが小さくなるまで各測定点で最低３回以上実施して、その平均値を適用した。測定点は、それぞれの種類のブロック毎に５点とした。
【００５６】
図１０は、測定結果である。これにより、以下のことが確認された。ブロック上のたわみ量を平均値で比較すると、Ｆ型＜長方形（横型）＜長方形（縦型）＜小正方形の順で大きくなる。たわみ量は小さいほど舗装支持力が大きいことを示すため、Ｆ型は、舗装支持力が大きいことがわかる。これに対し、特に小正方形は、たわみ量がＦ型の１．６倍も大きいことから、ブロックが沈下しやすいと考えられる。
【００５７】
データのバラツキを示す標準偏差もＦ型が最も小さく、小正方形が最も大きい。これより、舗装端部にＦ型を適用することにより、適用しない場合に比べて舗装支持力が大きくなり、バラツキも小さくなることから、安定した支持力が得られることが確認された。舗装端部の支持力が高くなり安定することは、端部で生じやすい段差や沈下、これに伴うブロックの破損も防ぐことができることを示している。
【００５８】
（２）舗装端部における荷重分散性能の比較
舗装端部における荷重分散性能を、へリンボンボンド４５°（図７（ａ）のパターン）とへリンボンボンド９０°で比較した。たわみ測定は、それぞれ図９（ａ）または（ｂ）に示すように、任意の端部のブロックの中心部に載荷板を設置して、目地を挟んで隣接する端部のブロックの中心部に第２センサーを設置して実施した。図１１は、載荷板直下の第１センサーと隣接するブロックに設置した第２センサーの間のピッチを示す概念図である。
【００５９】
載荷板と第２センサーとの設置間隔は、図９（ａ）に示すように、Ｆ型を使用するへリンボンボンド４５°が１６１ｍｍピッチとなった。これに対し、へリンボンボンド９０°では、長方形（横型）と長方形（縦型）との間（パターン１）、および長方形（縦型）と小正方形との間（パターン３）が１７１ｍｍピッチとなり、小正方形と長方形（横型）との間（パターン２）が１１４ｍｍピッチとなった。測定は各パターン毎に５点、バラツキが小さくなるまで最低３回以上実施して、平均値を適用した。なお、へリンボンボンド９０°のパターン１から３では、図９（ｂ）に示すように、◎に載荷板を、●に第２のセンサーを設置して測定した。
【００６０】
評価には、米国で車載型ＦＷＤのたわみ測定の評価に適用されている、以下の式（１）から求まるＳＣＩ（Surface Curvature Index）を算出して比較した。ただし、図１１ではＤ１は、図９（ａ）および（ｂ）より、載荷板から１６１ｍｍ、１１４ｍｍ、１７１ｍｍ離れた位置のたわみ量とした。この値が小さいほど、表層の荷重分散の状態が良いと評価される。測定結果に基づくＳＣＩの算出結果を図１２の表に示す。これより、以下のことが確認された。
【００６１】
ＳＣＩ＝Ｄ０−Ｄ１  …  （１）
Ｄ０：載荷板中心のたわみ量（ｍｍ）
Ｄ１：載荷板中心から所定の距離離れた位置のたわみ量（ｍｍ）
【００６２】
へリンボンボンド４５°のＳＩＣは０．１７７ｍｍとなったのに対して、へリンボンボンド９０°ではパターンによって、０．１７５〜０．２２５ｍｍ、平均で０．２０３ｍｍとなった。平均値で比較すると、へリンボンボンド４５°の方が１３％ほど小さい。これより、へリンボンボンド４５°でＦ型を適用することにより、へリンボンボンド９０°に比べて荷重分散性能が高くなることが確認された。このことは、舗装端部にＦ型を適用することにより、隣接するブロックに荷重がより分散されることで段差や沈降が生じにくくなり、端部を含めた周辺のブロックも安定することを示している。
【００６３】
へリンボンボンド９０°の場合は、図９（ｂ）に示すように長方形が縦と横に配置され、小正方形ブロックも必要となる３パターンの繰り返しとなる。この中で、へリンボンボンド４５°に比べてＳＩＣが大きくなるパターン１と２は、段差や沈下が生じやすいと考えられる。
【００６４】
（３）隣接するブロックへの荷重分散性能の比較
図１３は、主たる通行方向に対するへリンボンボンド４５°とへリンボンボンド９０°の目地間隔を示したものである。へリンボンボンド４５°では１６１ｍｍピッチとなったのに対して、へリンボンボンド９０°では１１４ｍｍピッチとなった。このたわみ測定は、目地間隔が１６１ｍｍと１１４ｍｍとなるように載荷板と第２センサーを設置して行なった。この方法で２つの目地間隔の荷重分散性能を比較した。
【００６５】
ここで、荷重分散性能の評価には、載荷板直下のたわみ量（Ｄ０）と第２センサーのたわみ量（Ｄ１）の差（Ｄ０−Ｄ１）とその距離（Ｌ）から以下の式（２）により求まる曲率半径を用いた。この原理は、図１４のように、たわみ曲線を円弧の一部と考え、弦長（それぞれ一定）に対する相対変位量を測定し、曲率半径（Ｒ）を計算により求めるものである。曲率半径の大きい方が表層の荷重分散性能が高いと評価できる。測定は、各７点、バラツキが小さくなるまで最低３回実施して、平均値を適用した。測定結果に基づく算出結果を図１５の表に示す。これより、以下のことが確認された。
【００６６】
Ｒ＝Ｌ２／２ｔ  …  （２）
Ｒ：曲率半径（ｍ）
Ｌ：Ｄ０とＤ１の距離（ｍ）
ｔ：Ｄ０とＤ１のたわみ量の差（ｍ）  （ｔ＝Ｄ０−Ｄ１）
【００６７】
Ｒの平均値は、へリンボンボンド４５°が７３ｍを示したのに対して、へリンボンボンド９０°では３７．７ｍとなり、２倍近い差異を示した。このことは、へリンボンボンド４５°の方が荷重分散性能に優れていることを示している。これは、へリンボンボンド４５°が目地間隔が１６１ｍｍとなったのに対し、へリンボンボンド９０°ではそれより小さい１１４ｍｍとなったことが大きく影響している。目地間隔が小さいことは目地の数が多くなることを意味しており、目地が多すぎる場合、荷重分散性能が低下すると考えられる。
【００６８】
また、へリンボンボンド４５°は、主たる通行方向と目地ラインとが絶えずクロスするのに対して、へリンボンボンド９０°は、主たる通行方向と目地ラインとが平行か垂直となるため、ブロックが移動しやすくなる。
【００６９】
以上の測定結果から、Ｆ型を適用したへリンボンボンド４５°は、へリンボンボンド９０°と比べて荷重分散性能が高くなることでブロック舗装特有の移動現象も低減できる。また、舗装端部の支持力も高くなり、安定することで、端部で生じやすい段差、沈下、ブロックの破損低減にも効果があると考えられる。このことは、大型車両の走行が多くなる重交通や輪荷重が大きくなる重荷重エリアにおいて、長期間に亘り良好な路面状態を維持するには、へリンボンボンド４５°が適していることを示している。
【００７０】
以上説明したように、本発明の舗装システムによれば、重交通エリアまたは重荷重エリアに適用されても、路面の段差、沈下、水平移動（ずれ）、わだち掘れ、およびこれらに伴うブロックの欠けや割れが生じ難く、長期間に亘り良好な路面性状を維持でき、また、車両の走行騒音を小さくでき、坂道における降雨時の目地砂の消失を抑制することが可能となる。
【符号の説明】
【００７１】
１  舗装システム
３  路床
５  下層路盤
７  上層路盤
９  敷砂層
１１  舗装用ブロック
１１ａ  第１のブロック
１１ｂ  エンドブロック
１１ｃ  第２のブロック
１３  目地砂
１５  ブロック層
１７  端部拘束ブロック
【図１】
2020029731.tif 000003
【図２】
2020029731.tif 000004
【図３】
2020029731.tif 000005
【図４】
2020029731.tif 000006
【図５】
2020029731.tif 000007
【図６】
2020029731.tif 000008
【図７】
2020029731.tif 000009
【図８】
2020029731.tif 000010
【図９】
2020029731.tif 000011
【図１０】
2020029731.tif 000012
【図１１】
2020029731.tif 000013
【図１２】
2020029731.tif 000014
【図１３】
2020029731.tif 000015
【図１４】
2020029731.tif 000016
【図１５】
2020029731.tif 000017